【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
容量センサデバイスであって、前記容量センサデバイスは、ドライバの出力と結合された伝送機電極と、前記ドライバの入力と結合された出力を有する受信機段とを備え、前記受信機段は、
受信機電極と、
前記伝送機電極と前記ドライバと前記受信機段とによって形成されるフィードバック回路の電気発振のアクティブ化に応じて静電容量測定を発行するように構成されたループフィルタであって、電気発振は、前記伝送機電極と前記受信機電極との間の容量結合に依存する、ループフィルタと
を備える、容量センサデバイス。
【請求項２】
前記ループフィルタおよび容量結合は、オブジェクトが前記伝送機電極および前記受信機電極に対して所定の近接内にあるときに、前記電気発振を通して前記受信機段をアクティブ化するように構成されている、請求項１に記載の容量センサデバイス。
【請求項３】
前記ループフィルタおよび容量結合は、前記容量結合が閾値に達するまたは前記閾値を超えるときに、前記電気発振を通して前記受信機段をアクティブ化するように構成されている、請求項１に記載の容量センサデバイス。
【請求項４】
前記ループフィルタは、前記容量結合が閾値に達するまたは前記閾値を下回るときに、前記電気発振を通して前記受信機段をアクティブ化するように構成されている、請求項１に記載の容量センサデバイス。
【請求項５】
前記伝送機電極と前記受信機電極との間に結合された静電容量をさらに備える、請求項１〜４のうちの１項に記載の容量センサデバイス。
【請求項６】
前記静電容量は、可変であり、制御回路によって制御される、請求項５に記載の容量センサデバイス。
【請求項７】
前記受信機段は、前記受信機電極と前記ループフィルタとの間に結合された動作増幅器を備える、請求項１〜６のうちの１項に記載の容量センサデバイス。
【請求項８】
前記ループフィルタは、前記動作増幅器の出力と前記受信機段の出力との間で直列に結合された第１のコンデンサおよび第２のコンデンサと、接地と前記第１のコンデンサおよび前記第２のコンデンサの間のノードとの間に結合された抵抗器とを備える、請求項７に記載の容量センサデバイス。
【請求項９】
前記ノードと前記第２のコンデンサとの間に結合されたバッファをさらに備える、請求項８に記載の容量センサデバイス。
【請求項１０】
複数の受信機電極と、関連付けられた受信機段とを備える、請求項１〜９のうちの１項に記載の容量センサデバイス。
【請求項１１】
前記複数の受信機電極のうちの第１の受信機電極は、前記複数の受信機電極のうちの残りのものより前記伝送機電極に対して近くに配列される、請求項１０に記載の容量センサデバイス。
【請求項１２】
前記伝送機電極（６１４）および前記複数の受信機電極は、表示画面の周囲に配列される、請求項１０に記載の容量センサデバイス。
【請求項１３】
複数の受信機段のうちの受信機段は、位相変化の周波数変動または振幅変動を測定するように構成されている、請求項１０に記載の容量センサデバイス。
【請求項１４】
前記デバイスは、３つの動作モードのうちの１つで動作するように構成され、第１の動作モードは、自励持続発振を提供し、第２の動作モードは、前記発振が飽和に駆動される飽和モードであり、第３の動作モードは、起動およびタイミング回路からのパルスを前記フィードバック回路にフィードすることによって減衰正弦波の過渡バーストが生成される減衰バーストモードである、請求項１０〜１３のうちの１項に記載の容量センサデバイス。
【請求項１５】
３つ全ての動作モードにおいて、前記デバイスは、相対振幅測定、周波数測定、および位相測定のうちの２つ以上を行い、感知空間内のインピーダンス変化についての多次元情報を判定するように構成されている、請求項１４に記載の容量センサデバイス。
【手続補正２】
【補正対象書類名】明細書
【補正対象項目名】００１２
【補正方法】変更
【補正の内容】
【００１２】
本開示の実施形態は、伝送機信号をアクティブ化し、近くの身体、スタイラス、指、手、または他のオブジェクトに強力に結合することができる、自己起動型伝送機・検出器アセンブリを含んでもよい。そのようなオブジェクトは、次いで、信号を他の受信機にパスしてもよい。結果として、オブジェクトの相対的位置および位置の変化が、測定され、有用なジェスチャに変換されてもよい。これは、これらの受信機と組み合わせて同一または異なる伝送機を用いて達成されてもよい。結果は、携帯電話、タッチスクリーン、コンピュータ、タブレット、および他のデバイス等の電子デバイスで使用される、容量、接近、タッチ、または他のセンサであってもよい。
本発明は、例えば、以下を提供する。
（項目１）
受信機段であって、
受信機電極と、
電気発振のアクティブ化に応じて静電容量測定を発行するように構成されたループフィルタであって、前記静電容量測定は、非アクティブ伝送機電極およびアクティブ化受信機電極に対する静電容量を含む、ループフィルタと
を備える、受信機段。
（項目２）
前記ループフィルタはさらに、前記電気発振を通して前記受信機段をアクティブ化するように構成されている、項目１に記載の受信機段。
（項目３）
前記ループフィルタはさらに、前記静電容量測定が閾値に達するときに、前記電気発振を通して前記受信機段をアクティブ化するように構成されている、項目１に記載の受信機段。
（項目４）
前記ループフィルタはさらに、前記静電容量測定が閾値に達するときに、非アクティブ受信機回路をアクティブ化するように構成されている、項目１に記載の受信機段。
（項目５）
前記ループフィルタはさらに、前記静電容量測定が閾値まで低下するときに、前記受信機段をアクティブ化し、オブジェクトによる接近またはタッチを示すように構成されている、項目１に記載の受信機段。
（項目６）
前記ループフィルタはさらに、前記静電容量測定が閾値まで上昇するときに、前記受信機段をアクティブ化し、オブジェクトによる接近またはタッチを示すように構成されている、項目１に記載の受信機段。
（項目７）
前記ループフィルタはさらに、前記受信機段を接続するフィードバック制御ループのループ利得が約１に等しいまたはそれを上回るときに、前記受信機段をアクティブ化するように構成されている、項目１に記載の受信機段。
（項目８）
前記ループフィルタはさらに、前記受信機段を接続するフィードバック制御ループの利得が１未満であるときに、静電容量測定の発行を延期するように構成されている、前記項目のうちの１項に記載の受信機段。
（項目９）
センサシステムであって、
受信機電極を含む受信機回路と、
伝送機電極を含む伝送機回路と、
ループフィルタを含む制御回路と
を備え、
前記受信機回路は、静電容量測定が閾値に達するときに発振するように構成され、前記静電容量測定は、
前記受信機電極と前記伝送機電極との間の静電容量を含み、
前記伝送機電極が非アクティブ化されている間に行われ、
前記制御回路は、前記受信機回路が発振するときに前記伝送機回路をアクティブ化するように構成されている、センサシステム。
（項目１０）
前記伝送機電極は、前記伝送機電極が発振していないときに非アクティブ化される、項目９に記載のセンサシステム。
（項目１１）
前記制御回路は、発振を通してほぼ同時に前記伝送機をアクティブ化するように構成されている、項目９または項目１０に記載のセンサシステム。
（項目１２）
前記制御回路はさらに、前記静電容量測定が前記閾値まで低下するときに、前記伝送機回路をアクティブ化し、前記受信機電極に対する、オブジェクトによる接近またはタッチを示すように構成されている、項目９−１１のうちの１項に記載のセンサシステム。
（項目１３）
前記制御回路はさらに、前記静電容量測定が前記閾値まで上昇するときに、前記伝送機回路をアクティブ化し、前記受信機電極に対する、オブジェクトによる接近またはタッチを示すように構成されている、項目９−１１のうちの１項に記載のセンサシステム。
（項目１４）
前記制御回路はさらに、前記受信機回路を接続するフィードバックループのループ利得が約１に等しいまたはそれを上回るときに、前記伝送機回路をアクティブ化するように構成されている、項目９に記載のセンサシステム。
（項目１５）
前記制御回路はさらに、前記受信機回路を接続するフィードバックループのループ利得が１未満であるときに、前記伝送機回路のアクティブ化を延期するように構成されている、項目９に記載のセンサシステム。
（項目１６）
システムであって、
観察エリア内のオブジェクトの空間検出のための電極配列であって、前記電極配列は、第１の受信電極に近接近する伝送電極と、前記伝送電極から離間された少なくとも１つのさらなる受信電極とを備える、電極配列と、
前記第１の受信電極のタッチまたは近接近を検出し、結果として、空間検出回路をアクティブ化するように構成されている、受信機回路であって、前記空間検出回路は、フィードバックループ内で前記伝送電極および前記少なくとも１つのさらなる受信電極をアクティブ化するように構成されている、受信機回路と
を備える、システム。
（項目１７）
前記空間検出回路は、
前記少なくとも１つのさらなる受信電極と前記伝送電極との間に結合されるように構成された少なくとも１つの制御可能インピーダンスと、
前記少なくとも１つのさらなる受信電極および前記伝送電極と結合されたセンサ回路であって、センサコアは、前記少なくとも１つのさらなる受信電極から信号を受信し、前記伝送電極にフィードされる前記受信された信号から駆動信号を生成するように構成されている、センサ回路と、
前記少なくとも１つのさらなる受信電極および前記伝送電極と結合された信号プロセッサと、
前記制御可能インピーダンスを規定状態に変動させ、持続的自励発振を満たすように構成されている、起動およびタイミング回路と
を備える、項目１６に記載のシステム。
（項目１８）
複数のさらなる受信電極と、前記複数のさらなる受信電極のうちの１つを前記制御可能インピーダンスと結合して前記フィードバックループを閉鎖するように構成されている、マルチプレクサとを備える、項目１６または項目１７に記載のシステム。
（項目１９）
複数のさらなる受信電極を備え、前記複数のさらなる受信電極からの信号は、それぞれ、伝達関数回路Ｈｎを通してフィードされて合計され、合計された信号は、駆動信号として前記伝送電極にフィードされる、項目１６−１８のうちの１項に記載のシステム。
（項目２０）
前記システムは、３つの動作モードのうちの１つで動作するように構成され、第１の動作モードは、自励持続発振を提供し、第２の動作モードは、前記発振が飽和に駆動される、飽和モードであり、第３の動作モードは、起動およびタイミング回路からのパルスを前記フィードバックループにフィードすることによって、減衰正弦波の過渡バーストが生成される、減衰バーストモードである、項目１６−１９のうちの１項に記載のシステム。
（項目２１）
３つ全ての動作モードにおいて、前記システムは、相対振幅、周波数、および位相測定のうちの２つ以上を行い、感知空間内のインピーダンス変化についての多次元情報を判定するように構成されている、項目２０に記載のシステム。